(57)【要約】【課題】台所空間において設備が動作している場合であっても来訪者の呼出操作があったことを住人に知らせることができるインターホンシステムを提供する。【解決手段】インターホンシステム１は、共用インターホン３０と、宅外インターホン４０と、宅内インターホン２０と、設備制御装置１０とを備える。宅内インターホン２０は、来訪者によって住人を呼び出す呼出操作が共用インターホン３０又は宅外インターホン４０で行われると呼出操作があったことを住人に報知する。設備制御装置１０は、住宅の台所空間に設けられた水栓設備２が動作している場合に呼出操作が共用インターホン３０又は宅外インターホン４０で行われると、水栓設備２の動作によって生じる音を低減するように設備を制御する。【選択図】図１
2018142814.tif 000002
【特許請求の範囲】
【請求項１】
来訪者によって住宅の住人を呼び出す呼出操作が行われる第１インターホン装置と、
前記第１インターホン装置を介して前記住人が来訪者と会話を行えるように前記住宅内に設けられ、前記呼出操作が前記第１インターホン装置で行われたことを前記住人に報知する第２インターホン装置と、
前記住宅の台所空間に設けられた設備が動作している場合に前記呼出操作が前記第１インターホン装置で行われると、前記設備の動作によって生じる音を低減するように前記設備を制御する設備制御装置とを備える
ことを特徴とするインターホンシステム。
【請求項２】
前記設備制御装置は、
前記第１インターホン装置と前記第２インターホン装置との間の通信状態を監視する監視部と、
前記設備が動作している場合に前記呼出操作に係る呼出信号が前記第１インターホン装置から前記第２インターホン装置へ送信されたことを前記監視部が検知すると、前記設備の動作によって生じる前記音を低減するように前記設備を制御する設備制御部とを有する
ことを特徴とする請求項１に記載のインターホンシステム。
【請求項３】
前記台所空間にスピーカを、さらに備え、
前記設備制御装置は、前記設備の動作によって生じる前記音を低減するように前記設備を前記設備制御部が制御した後、前記呼出操作が行われたことを、前記スピーカを通じて報知する報知部を、さらに有する
ことを特徴とする請求項２に記載のインターホンシステム。
【請求項４】
前記台所空間にマイクロホンを、さらに備え、
前記設備制御装置は、前記設備の動作によって生じる前記音を低減するように前記設備を前記設備制御部が制御した後、前記マイクロホンが集音した音声の音声信号を前記マイクロホンから受け取ると、前記音声信号を前記第１インターホン装置へ出力する通話部を、さらに有し、
前記第１インターホン装置は、前記音声信号を前記設備制御装置から受け取ると、前記音声信号に応じた前記音声を出力する
ことを特徴とする請求項３に記載のインターホンシステム。
【請求項５】
前記設備制御装置は、前記マイクロホンが集音した音声の音声信号に基づいて、前記通話部と前記第１インターホン装置との間での通話を開始するか否かを判断する判断部を、さらに有し、
前記通話部は、前記判断部が通話を開始すると判断した後、音声信号を前記マイクロホンから受け取ると、前記音声信号を前記第１インターホン装置へ出力する
ことを特徴とする請求項４に記載のインターホンシステム。
【請求項６】
前記台所空間には、対面型キッチンカウンタが設けられており、
前記対面型キッチンカウンタには、前記台所空間と他の空間とを仕切る造作壁が設けられており、
前記スピーカ及び前記マイクロホンは、前記造作壁の前記台所空間側の面に設けられている
ことを特徴とする請求項４又は５に記載のインターホンシステム。
【請求項７】
前記設備制御部は、前記設備の動作によって生じる前記音を低減するように前記設備を制御した後において前記住人と前記来訪者との間で会話が終了すると、前記設備の状態が前記設備の動作によって生じる前記音を低減する前の状態となるように前記設備を制御する
ことを特徴とする請求項２〜６のいずれか一項に記載のインターホンシステム。
【請求項８】
前記設備は、前記台所空間に設けられた水栓設備であり、
前記設備の動作によって生じる前記音は、前記水栓設備からの吐水音であり、
前記設備制御装置は、前記水栓設備から吐水が行われている場合に前記呼出操作が前記第１インターホン装置で行われると、前記水栓設備からの吐水を停止する
ことを特徴とする請求項１〜７のいずれか一項に記載のインターホンシステム。
【発明の詳細な説明】
【技術分野】
【０００１】
本発明は、インターホンシステムに関し、より詳細には音声信号を送受信するインターホンシステムに関する。
【背景技術】
【０００２】
従来、背景騒音が多く且つ反響が大きい場所において通話を可能にする拡声通話装置がある（特許文献１参照）。
【０００３】
特許文献１で記載された拡声通話装置は、マイクロホンで集音された送話信号に含まれる背景騒音のレベルが所定の閾値を超えると、騒音源となる設備を停止させる。これにより、例えば浴室内での快適な通話が可能となる。
【先行技術文献】
【特許文献】
【０００４】
【特許文献１】特開２００５−３４８１８号公報
【発明の概要】
【発明が解決しようとする課題】
【０００５】
特許文献１で記載された拡声通話装置（インターホンシステム）を、台所空間に適用した場合を想定する。特許文献１で記載された拡声通話装置は、通話時における背景騒音（騒音）のレベルが所定の閾値を超えた場合に、設備を停止している。台所空間で住人が設備を使用している場合（水栓設備を使用している場合）、設備の動作によって生じる音（吐水音）で来訪者の呼出操作による呼出音に当該住人が気付かない可能性がある。
【０００６】
そこで、本発明は上記課題に鑑みてなされ、台所空間において設備が動作している場合であっても来訪者の呼出操作があったことを住人に知らせることができるインターホンシステムを提供することを目的とする。
【課題を解決するための手段】
【０００７】
本発明に係る一態様のインターホンシステムは、第１インターホン装置と、第２インターホン装置と、設備制御装置とを備える。前記第１インターホン装置は、来訪者によって住宅の住人を呼び出す呼出操作が行われる。前記第２インターホン装置は、前記第１インターホン装置を介して前記住人が来訪者と会話を行えるように前記住宅内に設けられている。前記第２インターホン装置は、前記呼出操作が前記第１インターホン装置で行われたことを前記住人に報知する。前記設備制御装置は、前記住宅の台所空間に設けられた設備が動作している場合に前記呼出操作が前記第１インターホン装置で行われると、前記設備の動作によって生じる音を低減するように前記設備を制御する。
【発明の効果】
【０００８】
上述したインターホンシステムによると、台所空間において設備が動作している場合であっても来訪者の呼出操作があったことを住人に知らせることができる。
【図面の簡単な説明】
【０００９】
【図１】図１は、本発明に係る一態様のインターホンシステムの構成を説明する図である。
【図２】図２は、同上のインターホンシステムの音声処理装置の設置例を説明する図である。
【図３】図３は、同上のインターホンシステムの変形例を説明する図である。
【発明を実施するための形態】
【００１０】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計等に応じて種々の変更が可能である。
【００１１】
（実施形態）
本実施形態のインターホンシステム１について、図１及び図２を用いて説明する。
【００１２】
インターホンシステム１は、図１に示すように、設備制御装置１０、宅内インターホン２０、共用インターホン３０、宅外インターホン４０及び音声処理装置５０を備える。
【００１３】
共用インターホン３０は、集合住宅の共用玄関（ロビー）に設置され、いわゆるロビーインターホンとして設置される。設備制御装置１０、宅内インターホン２０、宅外インターホン４０及び音声処理装置５０は、集合住宅の各住戸（住宅）に設置される。特に、設備制御装置１０、宅内インターホン２０及び音声処理装置５０は、住戸内に設置され、宅外インターホン４０は、住戸の玄関に設置される。宅内インターホン２０はいわゆるインターホン親機として設置され、宅外インターホン４０はいわゆるドアホン子器として設置される。
【００１４】
住戸の台所空間Ａ１には、対面型キッチンカウンタＢ１が設けられている（図２参照）。対面型キッチンカウンタＢ１には、台所空間Ａ１と他の空間（本実施形態では、リビング空間Ａ２）とを仕切る造作壁Ｂ２が設けられている。音声処理装置５０は、造作壁Ｂ２に設けられている。
【００１５】
共用インターホン３０及び宅外インターホン４０と、宅内インターホン２０とは、互いに通信可能に構成されている。宅内インターホン２０と設備制御装置１０とは、互いに通信可能に構成されている。また、設備制御装置１０と音声処理装置５０とは、互いに通信可能に構成されている。
【００１６】
設備制御装置１０は、住戸の台所空間Ａ１に設けられた設備（例えば、水栓設備２）の動作を制御する。水栓設備２は、水流センサを有している。水流センサは、水栓設備２が吐水しているか否か（水栓設備２が動作しているか否か）を検出し、その検出結果を設備制御装置１０へ出力する。
【００１７】
設備制御装置１０は、台所空間Ａ１に設けられた設備が動作している場合に、住人を呼び出す呼出操作が共用インターホン３０又は宅外インターホン４０で行われると、設備の動作によって生じる音（騒音）を低減するように設備を制御する。具体的には、インターホンシステム１では、水栓設備２が吐水をしている場合に呼出操作が共用インターホン３０又は宅外インターホン４０で行われると、設備制御装置１０は、水栓設備２が吐水を停止するよう水栓設備２を制御する。
【００１８】
インターホンシステム１は、水栓設備２が吐水をしている場合に共用インターホン３０又は宅外インターホン４０で呼出操作が行われると、宅内インターホン２０の代わりに音声処理装置５０を用いて呼出操作が行われたインターホンとの間で通話を可能とする。
【００１９】
設備制御装置１０は、図１に示すように、制御部１１、通話制御部１２、第１伝送処理部１３、第２伝送処理部１４及び操作部１５を備える。設備制御装置１０は、ＣＰＵ（Central Processing Unit）及びメモリを有している。ＣＰＵがメモリに格納されているプログラムを実行することにより、制御部１１の機能を実現する。プログラムは、ここでは、コンピュータのメモリに予め記録されている。なお、プログラムは、インターネット等の電気通信回線を通じて、あるいはメモリカード等の記録媒体に記録されて提供されてもよい。
【００２０】
第１伝送処理部１３は、宅内インターホン２０及び水栓設備２との間で通信接続され、信号の送受信を行う。
【００２１】
第２伝送処理部１４は、音声処理装置５０との間で通信接続され、信号の送受信を行う。
【００２２】
制御部１１は、図１に示すように、通信監視部１００、設備監視部１０１及び設備制御部１０２を有している。
【００２３】
通信監視部１００は、共用インターホン３０及び宅外インターホン４０と宅内インターホン２０との間の通信状態を、宅内インターホン２０からの通知に基づいて監視する。具体的には、通信監視部１００は、共用インターホン３０又は宅外インターホン４０から呼出操作に係る呼出操作が行われたか否かを、宅内インターホン２０からの通知に基づいて監視する。宅内インターホン２０からの通知とは、共用インターホン３０又は宅外インターホン４０から呼出操作に係る操作信号を宅内インターホン２０が受け取ったことを表す。つまり、共用インターホン３０又は宅外インターホン４０から操作信号を宅内インターホン２０が受け取ったことを表す通知を、宅内インターホン２０から受け取ると、通信監視部１００は、呼出操作が行われたことを検知する。
【００２４】
設備監視部１０１は、水栓設備２の水流センサの検出結果に基づいて水栓設備２が使用されているか否かを監視する。
【００２５】
設備制御部１０２は、水栓設備２が吐水をしている場合に呼出操作が共用インターホン３０又は宅外インターホン４０で行われると、水栓設備２の吐水を停止するよう水栓設備２を制御する。具体的には、水栓設備２が吐水をしている場合に呼出操作が行われたことを通信監視部１００が検知すると、設備制御部１０２は、水栓設備２の吐水を停止するよう水栓設備２を制御する。これにより、水栓設備２の動作によって生じる音（騒音）を低減させることができる。
【００２６】
設備制御部１０２は、水栓設備２の吐水を停止させた後、音声処理装置５０が行う処理機能を切り替える切替信号を音声処理装置５０へ出力する。具体的には、設備制御部１０２は、音声処理装置５０の処理機能を消音処理機能から通話処理機能へと切り替える指示を表す切替信号を音声処理装置５０へ出力する。
【００２７】
設備制御部１０２は、来訪者と住人との間の通話を終了する操作が操作部１５で行われると、水栓設備２の状態が水栓設備２の動作によって生じる音を低減する前の状態となるように水栓設備２を制御する。
【００２８】
設備制御部１０２は、水栓設備２の状態を水栓設備２の動作によって生じる音が低減される前の状態とした後、音声処理装置５０の処理機能を通話処理機能から消音処理機能へと切り替える指示を表す切替信号を音声処理装置５０へ出力する。
【００２９】
通話制御部１２は、呼出操作が行われたインターホンと音声処理装置５０との間の通信を制御するように構成されている。通話制御部１２は、図１に示すように、報知部１０３、判断部１０４及び通話部１０５を有している。
【００３０】
報知部１０３は、水栓設備２が動作することによって発生する音を低減するように水栓設備２を設備制御部１０２が制御した後、予め記憶されている音声データに応じた音声（呼出音）を、第２伝送処理部１４を介して音声処理装置５０を通じて報知する。
【００３１】
判断部１０４は、呼出操作が行われたインターホンと音声処理装置５０との間で通話を開始するか否かを判断する。具体的には、判断部１０４は、音声処理装置５０で集音された音声に係る音声信号のレベルが所定の閾値以上であるか否かを判断する。判断部１０４は、音声信号のレベルが所定の閾値以上であると判断する場合には、呼出操作が行われたインターホンと音声処理装置５０との間で通話を開始すると判断する。
【００３２】
通話部１０５は、判断部１０４が通話を開始すると判断した場合、音声処理装置５０から出力された音声信号を、第１伝送処理部１３を介して宅内インターホン２０へ出力する。宅内インターホン２０は、通話部１０５から受け取った音声信号を、呼出操作が行われたインターホン（共用インターホン３０又は宅外インターホン４０）へ出力する。通話部１０５は、呼出操作が行われたインターホンから宅内インターホン２０を介して音声信号を受け取ると、受け取った音声信号を、第２伝送処理部１４を介して音声処理装置のスピーカ５３へ出力する。
【００３３】
通話部１０５は、判断部１０４が通話を開始しないと判断した場合、音声処理装置５０から出力された音声信号を破棄する。
【００３４】
操作部１５は、台所空間Ａ１（例えば、音声処理装置５０が設置された付近）に設けられており、タッチパネル、押釦スイッチ等の入力デバイスを有する。操作部１５が住人によって操作されると、操作部１５は、操作に応じた信号を制御部１１へ出力する。
【００３５】
音声処理装置５０は、図１に示すように、第１マイクロホン５１、第２マイクロホン５２、スピーカ５３、音声処理部５４及び伝送処理部５５を有している。
【００３６】
伝送処理部５５は、設備制御装置１０の第２伝送処理部１４との間で通信接続され、信号の送受信を行う。
【００３７】
音声処理装置５０の第１マイクロホン５１及びスピーカ５３は造作壁Ｂ２の台所空間Ａ１側の面Ｂ３に設けられ、第２マイクロホン５２は造作壁Ｂ２のリビング空間Ａ２側の面Ｂ４に設けられている（図２参照）。
【００３８】
第１マイクロホン５１及び第２マイクロホン５２は、音（音声）を集音し、集音した音を電気信号（音声信号）に変換して音声処理部５４へ出力する。第１マイクロホン５１は、造作壁Ｂ２の台所空間Ａ１側の面Ｂ３に設けられているので、台所空間Ａ１での音（音声）を主に集音する。第２マイクロホン５２は、造作壁Ｂ２のリビング空間Ａ２側の面Ｂ４に設けられているので、リビング空間Ａ２での音（音声）を主に集音する。
【００３９】
スピーカ５３は、音声処理部５４から出力された音声信号を受け取り、音声信号に応じた音声を出力する。スピーカ５３は、設備制御装置１０から出力された呼出音信号を、伝送処理部５５を介して受け取ると、呼出音信号に応じた音声を出力する。さらに、スピーカ５３は、来訪者の音声に応じた送話音声信号を、伝送処理部５５を介して設備制御装置１０から受け取ると、送話音声信号に応じた音声を出力する。
【００４０】
音声処理部５４は、図１に示すように、消音処理部５６及び通話処理部５７を有している。
【００４１】
消音処理部５６は、第１マイクロホン５１で集音した音声の信号と、第２マイクロホン５２で集音した音声の信号とを用いて、リビング空間Ａ２で発生した音声（例えば、リビング空間に居る人の音声）の信号を抽出する。消音処理部５６は、抽出した音声の信号をスピーカ５３へ出力する。このとき、スピーカ５３は、消音処理部５６で抽出された信号に応じた音声を出力する。
【００４２】
通話処理部５７は、第１マイクロホン５１で集音した音声の信号を、伝送処理部５５を介して設備制御装置１０へ出力する。
【００４３】
音声処理部５４は、設備制御装置１０から伝送処理部５５を介して受け取った切替信号に応じて、消音処理部５６の機能（消音処理機能）と、通話処理部５７の機能（通話処理機能）との切り替えを行う。例えば、音声処理部５４は、処理機能を消音処理機能から通話処理機能へと切り替える指示を表す切替信号を設備制御装置１０から伝送処理部５５を介して受け取ると、実行対象の機能を消音処理部５６の機能から通話処理部５７の機能へと切り替える。音声処理部５４は、処理機能を通話処理機能から消音処理機能へと切り替える指示を表す切替信号を設備制御装置１０から伝送処理部５５を介して受け取ると、実行対象の機能を通話処理部５７の機能から消音処理部５６の機能へと切り替える。
【００４４】
次に、音声処理装置５０の消音処理機能の動作について、説明する。
【００４５】
音声処理装置５０は、水栓設備２が動作していることを設備制御装置１０の設備監視部１０１の検出結果が表している場合に、消音処理部５６の機能を動作させる。
【００４６】
第１マイクロホン５１は、台所空間Ａ１での音声を集音し、集音した音声に応じた音声信号（第１音声信号）を消音処理部５６へ出力する。
【００４７】
第２マイクロホン５２は、リビング空間Ａ２での音声を集音し、集音した音声に応じた音声信号（第２音声信号）を消音処理部５６へ出力する。
【００４８】
消音処理部５６は、第１マイクロホン５１から出力された第１音声信号、及び第２マイクロホン５２から出力された第２音声信号のそれぞれに対して、エコーキャンセル処理を施す。
【００４９】
消音処理部５６は、第２音声信号に対して、雑音成分を取り除く雑音成分キャンセル処理を施す。消音処理部５６は、雑音成分キャンセル処理として、エコーキャンセル処理が施された第１音声信号を用いて、エコーキャンセル処理が施された第２音声信号に含まれる雑音成分（台所空間Ａ１で発生した音声）を取り除いて、第３音声信号を生成する。第２マイクロホン５２は、上述したように造作壁Ｂ２のリビング空間Ａ２側の面Ｂ４に設けられている。そのため、水栓設備２の動作によって生じる音は、造作壁Ｂ２を超えて、リビング空間Ａ２側の面Ｂ４に回り込んで第２マイクロホン５２で集音される。その結果、第２マイクロホン５２が集音した音声には、リビング空間Ａ２での音声の成分の他、台所空間Ａ１での音声の成分（雑音成分）も多く含まれている。一方、第１マイクロホン５１は、上述したように造作壁Ｂ２の台所空間Ａ１側の面Ｂ３に設けられている。リビング空間Ａ２に居る人と第２マイクロホン５２との距離は、水栓設備２と第２マイクロホン５２との距離よりも長い。そのため、リビング空間Ａ２に居る人が発した音声が、造作壁Ｂ２を超えて、台所空間Ａ１側の面Ｂ３に回り込んで第１マイクロホン５１で集音されにくい。その結果、第１マイクロホン５１が集音した音声には、台所空間Ａ１での音声の成分が多く含まれており、リビング空間Ａ２での音声の成分はあまり含まれていない。そこで、第２音声信号の成分から第１音声信号に含まれる音声信号の成分を取り除くことで、リビング空間Ａ２での音声成分が多く含まれ、台所空間Ａ１での雑音成分があまり含まれない第３音声信号が生成される。
【００５０】
消音処理部５６は、生成された第３音声信号に対して増幅処理を施し、スピーカ５３へ出力する。
【００５１】
これにより、台所空間Ａ１に居る住人は、リビング空間Ａ２に居る他の住人の音声を聞き取ることができる。
【００５２】
次に、インターホンシステム１において、共用インターホン３０で呼出操作が行われた場合の動作について、説明する。
【００５３】
来訪者によって共用インターホン３０で呼出操作が行われると、共用インターホン３０は、呼出操作が行われたことを表す呼出信号を宅内インターホン２０に送信する。
【００５４】
宅内インターホン２０は、呼出信号を共用インターホン３０から受け取ると、予め記憶している音声データに応じた呼出音を、宅内インターホン２０に備えられたスピーカから報知する。宅内インターホン２０は、共用インターホン３０から呼出信号を受け取ったことを表す呼出受信信号を、設備制御装置１０へ出力する。
【００５５】
住人が宅内インターホン２０で呼出音に対する応答操作を行った場合には、宅内インターホン２０は、共用インターホン３０との間での通話処理を開始する。
【００５６】
設備制御装置１０の通信監視部１００は、宅内インターホン２０から呼出受信信号を受け取ると、水栓設備２の動作を停止することを指示する停止指示信号を設備制御部１０２へ出力する。
【００５７】
設備制御部１０２は、停止指示信号を設備監視部１０１から受け取り、水栓設備２が動作している（吐水している）場合には、水栓設備２の動作を停止するよう水栓設備２を制御する。具体的には、設備制御部１０２は、停止指示信号を設備監視部１０１から受け取ると、水栓設備２が動作していることを設備監視部１０１の検出結果が表している場合には、水栓設備２に設けられた電磁弁を閉じるように水栓設備２を制御する。これにより、水栓設備２の動作によって生じる音（騒音）を低減することができる。
【００５８】
設備制御部１０２は、水栓設備２に対する制御を行った後、処理機能を消音処理機能から通話処理機能へと切り替える指示を表す切替信号（第１切替信号）を、音声処理装置５０へ出力する。
【００５９】
設備制御部１０２は、水栓設備２に対する制御を行った後、呼出音の報知を指示する報知指示信号を通話制御部１２へ出力する。
【００６０】
音声処理装置５０の音声処理部５４は、設備制御装置１０から出力された第１切替信号を、伝送処理部５５を介して受け取ると、処理機能を消音処理機能から通話処理機能へと切り替える。
【００６１】
通話制御部１２の報知部１０３は、報知指示信号を受け取ると、予め記憶している音声データに応じた呼出音信号を生成し、第２伝送処理部１４を介して音声処理装置５０へ出力する。音声処理装置５０のスピーカ５３は、報知部１０３から出力された呼出音信号を、伝送処理部５５を介して受け取ると、呼出音信号に応じた音声（呼出音）を出力する。
【００６２】
通話処理部５７は、第１マイクロホン５１で集音された音声の音声信号を、設備制御装置１０へ出力する。
【００６３】
判断部１０４は、第１マイクロホン５１で集音された音声の音声信号を音声処理装置５０から受け取ると、受け取った音声信号のレベルが所定の閾値以上であるか否かを判断する。受け取った音声信号のレベルが所定の閾値以上であると判断する場合、判断部１０４は、設備制御装置１０及び宅内インターホン２０を介した第１マイクロホン５１と共用インターホン３０との間の通話を行うように、通話開始信号を、通話部１０５へ出力する。通話開始信号とは、通話の開始指示を表す信号である。
【００６４】
通話部１０５は、通話開始信号を判断部１０４から受け取ると、宅内インターホン２０と共用インターホン３０との間の通話に係る通信を確立させる。通話部１０５は、通信が確立した後、音声処理部５４（通話処理部）から音声信号を受け取ると、受け取った音声信号を共用インターホン３０へ宅内インターホン２０を介して出力する。これにより、受け取った音声信号のレベルが所定の閾値以上であると判断した以降に音声処理装置５０から受け取った音声信号は、判断部１０４でレベルの判断がされることなく通話部１０５に入力される。
【００６５】
共用インターホン３０は、設備制御装置１０から音声信号（第１マイクロホン５１で集音された音声の音声信号）を受け取ると、共用インターホン３０が備えるスピーカを通じて、受け取った音声信号に応じた音声を出力する。
【００６６】
共用インターホン３０は、共用インターホン３０が備えるマイクロホンから集音された音声の音声信号（送話音声信号）を、宅内インターホン２０を介して設備制御装置１０へ出力する。通話部１０５は、共用インターホン３０から出力された送話音声信号を受け取ると、第２伝送処理部１４を介して音声処理装置５０へ出力する。スピーカ５３は、共用インターホン３０から出力された送話音声信号を、伝送処理部５５を介して受け取ると、受け取った送話音声信号に応じた音声を出力する。
【００６７】
設備制御装置１０の操作部１５は、住人の操作で通話の終了指示を受け付けると、通話の終了を指示する終了指示信号を制御部１１へ出力する。
【００６８】
設備制御部１０２は、操作部１５から終了指示信号を受け取ると、通話を終了するように、通話制御部１２を制御する。
【００６９】
設備制御部１０２は、操作部１５から終了指示信号を受け取ると、水栓設備２の状態が水栓設備２の動作によって生じる音（騒音）を低減する前の状態となるように水栓設備２を制御する。具体的には、設備制御部１０２は、終了指示信号を設備監視部１０１から受け取ると、水栓設備２に設けられた電磁弁を開くように水栓設備２を制御する。
【００７０】
設備制御部１０２は、操作部１５から終了指示信号を受け取ると、処理機能を通話処理機能から消音処理機能へと切り替える指示を表す切替信号（第２切替信号）を、音声処理装置５０へ出力する。
【００７１】
設備制御部１０２は、操作部１５から終了指示信号を受け取ると、通話の終了の指示を表す通話終了信号を宅内インターホン２０及び共用インターホン３０へ出力する。
【００７２】
音声処理部５４は、設備制御装置１０から出力された第２切替信号を、伝送処理部５５を介して受け取ると、処理機能を通話処理機能から消音処理機能へと切り替える。
【００７３】
宅内インターホン２０及び共用インターホン３０は、通話終了信号を受け取ると、宅内インターホン２０と共用インターホン３０との間の通信の終了に係る処理を行う。
【００７４】
以上説明した動作により、インターホンシステム１は、台所空間Ａ１に設けられた水栓設備２が動作している場合に、呼出操作が共用インターホン３０で行われると、水栓設備２の動作によって生じる音（騒音）を低減するように水栓設備２を制御する。また、インターホンシステム１は、水栓設備２の動作によって生じる音を低減するように水栓設備２を制御した後、音声処理装置５０と共用インターホン３０との間での通話を可能とする。
【００７５】
なお、宅外インターホン４０で呼出操作が行われた場合の同様の動作であるので、ここでの説明は省略する。
【００７６】
（変形例）
上記実施形態では、インターホンシステム１は、音声処理装置５０を備える構成としたが、音声処理装置５０は、必須の構成要件ではない。つまり、インターホンシステム１は、音声処理装置５０を備えない構成であってもよい。以下、上記実施形態とは異なる点を中心に本変形例のインターホンシステム１ａについて説明する。なお、上記実施形態と同様の構成要素には同一の符号を付して説明を適宜省略する。
【００７７】
インターホンシステム１ａは、図３に示すように、設備制御装置１０ａ、宅内インターホン２０、共用インターホン３０及び宅外インターホン４０及び音声処理装置５０を備える。
【００７８】
設備制御装置１０ａは、図３に示すように、制御部１１、伝送処理部１３ａを有している。設備制御装置１０ａは、ＣＰＵ及びメモリを有している。ＣＰＵがメモリに格納されているプログラムを実行することにより、制御部１１の機能を実現する。プログラムは、ここでは、コンピュータのメモリに予め記録されている。なお、プログラムは、インターネット等の電気通信回線を通じて、あるいはメモリカード等の記録媒体に記録されて提供されてもよい。
【００７９】
伝送処理部１３ａは、設備制御装置１０ａと、宅内インターホン２０及び水栓設備２との間で通信接続され、信号の送受信を行う。
【００８０】
次に、本変形例のインターホンシステム１ａにおいて、共用インターホン３０で呼出操作が行われた場合の動作について、説明する。
【００８１】
来訪者によって共用インターホン３０で呼出操作が行われると、共用インターホン３０は、呼出操作が行われたことを表す呼出信号を宅内インターホン２０に送信する。
【００８２】
宅内インターホン２０は、呼出信号を共用インターホン３０から受け取ると、共用インターホン３０から呼出信号を受け取ったことを表す呼出受信信号を、設備制御装置１０ａへ出力する。
【００８３】
設備制御装置１０ａの通信監視部１００は、宅内インターホン２０から呼出受信信号を受け取ると、水栓設備２の動作を停止することを指示する停止指示信号を設備制御部１０２へ出力する。
【００８４】
設備制御部１０２は、停止指示信号を設備監視部１０１から受け取ると、水栓設備２が動作していることを設備監視部１０１の検出結果が表している場合には、水栓設備２に設けられた電磁弁を閉じるように水栓設備２を制御する。これにより、水栓設備２の動作によって生じる音（騒音）を低減することができる。
【００８５】
また、宅内インターホン２０は、呼出信号を共用インターホン３０から受け取ると、予め記憶している音声データに応じた呼出音を、宅内インターホン２０に備えられたスピーカから報知する。これにより、住人は、水栓設備２の動作によって生じる音（騒音）が低減された状態で、呼出音を聞くことができる。
【００８６】
宅内インターホン２０において住人が呼出音に対する応答操作を行うと、宅内インターホン２０は、共用インターホン３０との間での通話処理を開始する。これにより、宅内インターホン２０に備えられたマイクロホンで集音された音声が、呼出操作された共用インターホン３０のスピーカから出力される。また逆に、共用インターホン３０に備えられたマイクロホンで集音された音声が、宅内インターホン２０のスピーカから出力される。
【００８７】
宅内インターホン２０は、住人の操作で通話の終了指示を受け付けると、通話終了信号を共用インターホン３０へ出力する。
【００８８】
宅内インターホン２０及び共用インターホン３０は、宅内インターホン２０と共用インターホン３０との間の通信の終了に係る処理を行う。
【００８９】
宅内インターホン２０は、住人の操作で通話の終了指示を受け付けると、通話が終了したことを設備制御装置１０へ通知する。
【００９０】
設備制御部１０２は、通話が終了したことの通知を宅内インターホン２０から伝送処理部１３ａを介して受け取ると、水栓設備２の電磁弁を開くように水栓設備２を制御する。
【００９１】
以上説明した動作により、インターホンシステム１ａは、台所空間Ａ１に設けられた水栓設備２が動作している場合に呼出操作が共用インターホン３０で行われると、水栓設備２の動作によって生じる音を低減するように水栓設備２を制御する。
【００９２】
なお、宅外インターホン４０で呼出操作が行われた場合の同様の動作であるので、ここでの説明は省略する。
【００９３】
本変形例において、設備制御装置１０ａは、操作部を備えてもよい。本変形例の操作部は、上記実施形態の操作部１５と同様に、押釦スイッチ等の入力デバイスを有する。本変形例の操作部が住人によって操作されると、本変形例の操作部は、操作に応じた信号を制御部１１へ出力する。本変形例の操作部は、水栓設備２の動作によって生じる音（騒音）を低減するように水栓設備２が制御された場合において、宅内インターホン２０と共用インターホン３０との間の通話が終了した後、住人の操作で水栓設備２の電磁弁を開く指示を表す制御指示を受け付ける。本変形例の操作部は、制御指示を受け付けると、水栓設備２の電磁弁を開く指示を表す制御指示信号を設備制御部１０２へ出力する。設備制御部１０２は、本変形例の操作部から制御指示信号を受け取ると、水栓設備２の電磁弁を開くように水栓設備２を制御する。この場合、宅内インターホン２０で通話の終了指示を受け付けても、上述した制御指示信号を設備制御装置１０へ出力する必要はない。
【００９４】
（その他の変形例）
以下に、変形例について列記する。なお、以下に説明する変形例は、上記実施形態及び変形例と適宜組み合わせて適用可能である。
【００９５】
上記実施形態及び変形例において、設備制御装置１０（１０ａ）は、水栓設備２が動作している場合に来訪者から呼出があると、水栓設備２の動作を停止させる構成としたが、この構成に限定されない。設備制御装置１０（１０ａ）は、水栓設備２の動作によって生じる音（騒音）を低減するように水栓設備２を制御すればよい。例えば、設備制御装置１０（１０ａ）は、水栓設備２の吐水量が少なくなるように水栓設備２を制御してもよい。この場合でも、水栓設備２の動作によって生じる音を減少するように水栓設備２を制御する前と比較すると水栓設備２の動作によって生じる音は軽減される。
【００９６】
上記実施形態及び変形例において、水栓設備２が吐水しているか否か（水栓設備２が動作しているか否か）の検出を水流センサで行う構成としたが、この構成に限定されない。水栓設備２が吐水しているか否かの検出は、他の検出方法であってもよく、例えばバルブの開閉を検知するセンサを水栓設備２に設けてもよい。この場合、センサは、バルブが開状態である場合には水栓設備２は動作していると判断し、バルブが閉状態である場合には水栓設備２は動作していないと判断する。
【００９７】
上記実施形態では、通信監視部１００は、共用インターホン３０又は宅外インターホン４０から呼出操作に係る呼出信号が宅内インターホン２０へ送信されたか否かを監視することで、通信状態を監視する構成としたが、この構成に限定されない。通信監視部１００は、共用インターホン３０及び宅外インターホン４０と、宅内インターホン２０との間で流れる信号の変化に基づいて、通信状態を監視する。通信監視部１００は、共用インターホン３０と宅内インターホン２０との間、又は宅外インターホン４０と宅内インターホン２０との間で、呼出信号が流れたが否かを判断することができる。例えば、通信監視部１００は、共用インターホン３０と宅内インターホン２０との間で呼出信号が流れたと判断する場合には、共用インターホン３０呼出操作が行われたと判断する。
【００９８】
上記実施形態において、設備制御装置１０は、呼出の操作が行われたインターホン（例えば、共用インターホン３０）と第１マイクロホン５１との間の通話の開始タイミングを、第１マイクロホン５１で集音した音声のレベルで判断する構成とした。しかしながら、この構成に限定されない。操作部１５での操作によって、呼出の操作が行われたインターホンと第１マイクロホン５１との間の通話が開始される構成であってもよい。
【００９９】
または、判断部１０４は、特定の音声が第１マイクロホン５１に入力されたか否か（住人が特定の音声を発したか否か）を判断してもよい。特定の音声とは、例えば“はい”等の人の言語音声である。この場合、設備制御装置１０は、特定の音声に係る音声データを予め記憶している。判断部１０４は、予め記憶している音声データ（第１音声データ）と、音声処理装置５０から受け取った音声信号から得られる音声データ（第２音声データ）とのマッチングを行う。第１音声データと第２音声データとが所定の割合以上一致する場合には、判断部１０４は、特定の音声が第１マイクロホン５１に入力された（住人が特定の音声を発した）と判断する。
【０１００】
上記実施形態において、呼出の操作が行われたインターホン（例えば、共用インターホン３０）と第１マイクロホン５１との間の通話の終了は、操作部１５での操作によって行われる構成としたが、この構成に限定されない。設備制御装置１０は、呼出の操作が行われたインターホン及び第１マイクロホン５１の双方から所定時間（例えば、５秒間）内に人の音声の信号を受け取らない場合には自動的に通話を終了する構成であってもよい。例えば、通信監視部１００は、呼出の操作が行われたインターホンと宅内インターホン２０との間で音声信号が、所定時間（例えば、５秒間）内に流れない場合には通話終了と判断し、通話を終了する。
【０１０１】
または、設備制御装置１０は、呼出の操作が行われたインターホンと第１マイクロホン５１との間で通話が開始されてから所定時間（例えば、１分間）内に、操作部１５で何ら操作を受け付けない場合には、自動的に通話を終了する構成であってもよい。
【０１０２】
上記実施形態において、第１マイクロホン５１及びスピーカ５３は、同一の筐体に備えられる構成としたが、この構成に限定されない。第１マイクロホン５１及びスピーカ５３は、互いに異なる筐体に備えられてもよい。
【０１０３】
上記実施形態において、操作部１５は、音声処理装置５０に設けられてもよい。
【０１０４】
上記実施形態において、設備制御装置１０と音声処理装置５０とは、個別の装置とする構成としたが、この構成に限定されない。設備制御装置１０と音声処理装置５０とは、１つの装置として機能してもよい。
【０１０５】
上記実施形態において、音声処理装置５０は、消音処理機能の加えて、共用インターホン３０又は宅外インターホン４０から呼出があった場合には呼出音を出力する機能（呼出機能）と、通話処理部５７の通話機能とを有する構成とした。しかしながら、この構成に限定されない。音声処理装置５０は、消音処理機能の加えて、少なくとも呼出機能を有していればよい。
【０１０６】
上記実施形態では、呼出の操作が行われたインターホン（例えば、共用インターホン３０）と音声処理装置５０との間の通話は、設備制御装置１０及び宅内インターホン２０を介する構成としたが、この構成に限定されない。呼出の操作が行われたインターホンと音声処理装置５０との間の通話は、宅内インターホン２０を介さない構成であってもよい。この場合、設備制御装置１０は、音声処理装置５０から受け取った音声信号を、宅内インターホン２０を介さずに呼出操作が行われたインターホンへ出力する。設備制御装置１０は、呼出操作が行われたインターホンで出力された音声信号を、宅内インターホン２０を介さずに受け取ると、受け取った音声信号を音声処理装置５０へ出力する。
【０１０７】
上記実施形態及び変形例において、設備制御装置１０（１０ａ）が制御する対象の設備は水栓設備２とする構成としたが、この構成に限定されない。設備制御装置１０（１０ａ）が制御する対象の設備は、台所空間Ａ１における音の発生元となる設備であればよい。例えば、設備制御装置１０（１０ａ）が制御する対象の設備は、レンジフードであってもよい。
【０１０８】
上記実施形態及び変形例では、集合住宅に適用した場合のインターホンシステム１（１ａ）について説明した。インターホンシステム１（１ａ）は、戸建の住宅に適用されてもよい。戸建の住宅にインターホンシステム１（１ａ）を適用する場合には、共用インターホン３０は構成要素には含まれない。
【０１０９】
（まとめ）
以上説明したように、第１の態様のインターホンシステム１（１ａ）は、第１インターホン装置（共用インターホン３０、宅外インターホン４０）と、第２インターホン装置（宅内インターホン２０）と、設備制御装置１０とを備える。第１インターホン装置は、来訪者によって住宅の住人を呼び出す呼出操作が行われる。前記第２インターホン装置は、第１インターホン装置を介して住人が来訪者と会話を行えるように住宅内に設けられている。第２インターホン装置は、呼出操作が第１インターホン装置で行われたことを住人に報知する。設備制御装置１０は、住宅の台所空間Ａ１に設けられた設備（水栓設備２）が動作している場合に呼出操作が第１インターホン装置で行われると、設備の動作によって生じる音を低減するように設備を制御する。
【０１１０】
この構成によると、インターホンシステム１（１ａ）は、設備の動作によって台所空間Ａ１で発生している音を低減するので、台所空間Ａ１において水栓設備２が動作している場合であっても来訪者の呼出操作があったことを住人に知らせることができる。これにより、住人は、台所空間Ａ１において設備を使用している場合であっても呼出音に即座に対応することができる。
【０１１１】
第２の態様のインターホンシステム１（１ａ）では、第１の態様において、設備制御装置１０は、監視部（通信監視部１００）と、設備制御部１０２とを有する。監視部は、第１インターホン装置と第２インターホン装置との間の通信状態を監視する。設備制御部１０２は、設備が動作している場合に呼出操作に係る呼出信号が第１インターホン装置から第２インターホン装置へ送信されたことを監視部が検知すると、設備の動作によって生じる音を低減するように設備を制御する。
【０１１２】
この構成によると、インターホンシステム１（１ａ）は、呼出信号が第１インターホン装置から第２インターホン装置へ送信されると、設備の動作によって台所空間Ａ１で発生している音を低減する。これにより、インターホンシステム１（１ａ）は、台所空間Ａ１において設備を使用している場合であっても来訪者の呼出操作があったことを住人に知らせることができる。
【０１１３】
第３の態様のインターホンシステム１は、第２の態様において、台所空間Ａ１にスピーカ５３を、さらに備える。設備制御装置１０は、報知部１０３を、さらに有する。報知部１０３は、設備の動作によって生じる音を低減するように設備を設備制御部１０２が制御した後、呼前記呼出操作が行われたことを、スピーカ５３を通じて報知する。
【０１１４】
この構成によると、インターホンシステム１は、台所空間Ａ１にスピーカ５３を備えるので、住人が台所空間Ａ１において設備を使用している場合であっても、来訪者から呼出があることを住人により確実に知らせる。特に、第２インターホン装置が台所空間Ａ１から離れた場所に設けられている場合に有効である。
【０１１５】
第４の態様のインターホンシステム１は、第３の態様において、台所空間Ａ１にマイクロホン（第１マイクロホン５１）を、さらに備える。設備制御装置１０は、通話部１０５を、さらに有する。通話部１０５は、設備の動作によって生じる音を低減するように設備を設備制御部１０２が制御した後、マイクロホンが集音した音声の音声信号をマイクロホンから受け取ると、音声信号を第１インターホン装置へ出力する。第１インターホン装置は、音声信号を設備制御装置１０から受け取ると、音声信号に応じた音声を出力する。
【０１１６】
この構成によると、インターホンシステム１はマイクロホンを備えるので、台所空間Ａ１で設備を使用している住人は、第２インターホン装置が設置された場所まで移動する必要はない。そのため、台所空間Ａ１で設備を使用している住人は、呼出音に即座に対応することができる。
【０１１７】
第５の態様のインターホンシステム１では、第４の態様において、設備制御装置１０は、判断部１０４を、さらに有する。判断部１０４は、マイクロホンが集音した音声の音声信号に基づいて、通話部１０５と第１インターホン装置との間での通話を開始するか否かを判断する。通話部１０５は、判断部１０４が通話を開始すると判断した後、音声信号をマイクロホンから受け取ると、音声信号を第１インターホン装置へ出力する。
【０１１８】
この構成によると、インターホンシステム１において通話を開始するためには、住人は音声を発すればよく、ボタン等の操作を行う必要がない。そのため、ユーザは、より簡単に通話を開始することができる。
【０１１９】
第６の態様のインターホンシステム１では、第４又は第５の態様において、台所空間Ａ１には、対面型キッチンカウンタＢ１が設けられている。対面型キッチンカウンタＢ１には、台所空間Ａ１と他の空間（例えば、リビング空間Ａ２）とを仕切る造作壁Ｂ２が設けられている。スピーカ５３及びマイクロホンは、造作壁Ｂ２の台所空間Ａ１側の面Ｂ３に設けられている。
【０１２０】
この構成によると、台所空間Ａ１にいる住人が発した音声を集音しやすく、さらには、当該住人は呼出音及び第１インターホン装置で集音した音声を聞き取りやすくなる。
【０１２１】
第７の態様のインターホンシステム１（１ａ）では、第２〜第６のいずれかの態様において、設備制御部１０２は、設備の動作によって生じる音を低減するように設備を制御した後において住人と来訪者との間で会話が終了すると、設備の状態が設備の動作によって生じる音を低減する前の状態となるように設備を制御する。
【０１２２】
この構成によると、住人は何ら操作をすることなく、来訪者から呼出があった前の状態で作業を再開することができる。
【０１２３】
第８の態様のインターホンシステム１では、第１〜第７のいずれかの態様において、設備は、台所空間Ａ１に設けられた水栓設備２である。設備の動作によって生じる音は、水栓設備２からの吐水音である。設備制御装置１０は、水栓設備２から吐水が行われている場合に呼出操作が第１インターホン装置で行われると、水栓設備２からの吐水を停止する。
【０１２４】
この構成によると、インターホンシステム１は、台所空間Ａ１の水栓設備２の動作により発生している音を低減するので、台所空間Ａ１において水栓設備２が動作している場合であっても来訪者の呼出操作があったことを住人に知らせることができる。これにより、住人は、台所空間Ａ１において水栓設備２を使用している場合であっても呼出音に即座に対応することができる。
【符号の説明】
【０１２５】
１，１ａ    インターホンシステム
２    水栓設備
１０，１０ａ    設備制御装置
２０    宅内インターホン（第２インターホン装置）
３０    共用インターホン（第１インターホン装置）
４０    宅外インターホン（第１インターホン装置）
５０    音声処理装置
５１    第１マイクロホン（マイクロホン）
５３    スピーカ
１００    通信監視部（監視部）
１０２    設備制御部
１０３    報知部
１０４    判断部
１０５    通話部
Ａ１    台所空間
Ｂ１    対面型キッチンカウンタ
Ｂ２    造作壁
Ｂ３    面
【図１】
2018142814.tif 000003
【図２】
2018142814.tif 000004
【図３】
2018142814.tif 000005